Podtech/llm-jp-corpus-v4-ja_patent huggingface dataset:
(57)【要約】【課題】  水流の向きが左から右に、また右から左にと頻繁に変わる場所でも例えば河川の河口付近、また海岸近くでも水力発電が可能な装置が小規模でまた安価で出来ると、近隣の企業または、住宅での自家発電が容易に取り入れられやすくなる、という考えから本発電装置を提供する。【解決手段】可撓性のある水車と片側にのみ倒れることができる水車の羽根と発電機を組み合わせることで、水の流れが変わっても何も操作をしなくても、発電機の回転方向は変わらずに一方方向に回転を続けるので、発電機もそのまま発電をつづけるのである。【選択図】図１
2013053614.tif 000002
【特許請求の範囲】
【請求項１】
可撓性を有する水車と片側に、のみ倒れる水車の羽根を備えた水力発電装置
【発明の詳細な説明】
【技術分野】
【０００１】本発明は従来の水力発電装置より発電効率を数倍高めたもので、図に示した様な可撓性を有する水車と片側に、のみ倒れる水車の羽根と発電機を組み合わせることで水の流れが逆流しても発電機の回転軸の回転方向が常に一定方向に回転する水力発電装置である。
【背景技術】
【０００２】従来の水力発電装置にはこの様な考えにもとづいた水力発電装置はなかった。
【発明の概要】
【発明が解決しようとする課題】
【０００３】東北の震災による福島の原発事故以来、自然エネルギーの有効活用が必要不可欠になっている、この問題の解決に少しでも役に立てばと考える次第である。
【課題を解決するための手段】
【０００４】本発明は水の流れさえあれば、それが河川の河口付近とか海岸のように水の流れの向きがひんぱんに変わる場所でも簡単に設置発電ができる
【発明の効果】
【０００５】本発電装置は非常に小規模でも作ることが出来るので自家発電用としても最適である。
【図面の簡単な説明】
【０００６】
【図１】水の流れが左から右に流れている場合の本発明の水力発電装置の図
【図２】水の流れが逆になり右から左に流れている場合の本発明の水力発電装置の図
【発明を実施するための形態】
【０００７】以下、本発明の実施の形態について、図面を参照しつつ詳細に説明します、
図１は本発電装置を筏または船に積み発電機が水没しない程度に沈め繋留している本装置の図で、水流が左から右に流れている時の図です、上側の水車の羽根（１）はヒンジピン（４）がフリーなので左からの水圧に押されて右に倒れますが、下側の水車の羽根（１）はストッパー（２）があるので倒れないで立った状態で左からの水圧を受けて右に押されて移動します、水車の羽根（１）の一端はチエン（３）に取り付けているのでチエン（３）は水車の羽根（１）に引っ張られて一緒に右に移動します、従ってチエン（３）に噛み合っている小スプロケット（５）は左に回転します、小スプロケット（５）と大スプロケット（６）は同軸に固定されているので一緒に回転します、大スプロケット（６）にはチエン（７）が噛み合っているのでチエン（７）も左に移動します、そしてチエン（７）には上側で増速機のスプロケットと噛み合っているので増速機と連動して発電機が右に回転して発電をします。
図２は水の流れが右から左に変わった時の本発電装置の図です、水流が右から左になると今度は上側の水車の羽根（１）が水圧で押されて立ちあがるがストッパー（２）があるので左に倒れないで水圧を受けてチエン（３）を左に引っ張っていきます、下側の水車の羽根（１）は今度は右から水圧を受けるので左に倒れますがその他の部品（２）、（３）、（４）、（５）、（６）、（７）、（８）、（９）、（１０）はすべて図１の時と同じ方向に回転します、従って水流が左から右に、また右から左になっても発電機は常に一方方向に回転して、発電を続けます。
【符号の説明】
【０００８】Ｉ    水車の羽根
２    水車の羽根を受けるストッパー
３    羽根が取り付いているチエン
４    ヒンジピン（フリーになっている）
５    小スプロケット
６    大スプロケット
７    大スプロケットと発電機のスプロケットを繋いでいるチエン
８    増速機のスプロケット
９    増速機
１０  発電機
【追記】
【０００９】本発電装置は必要に応じて、チエン（３）、チエン（７）の長さを変えることで水車の羽根（１）、発電機（２）の数を増やしたり、減らしたり自由にできる。
【図１】
2013053614.tif 000003
【図２】
2013053614.tif 000004
(57)【要約】【課題】本発明は、戸建住宅、設備、装置等の軽量構造物に免震機能を付与下基礎構造技術に属する。【解決手段】本発明は、構造物の基礎構造であって、当該基礎は上下２層に構成された基礎と当該基礎が傾斜した時、基礎面の傾斜を修復するため前記基礎下に設けられた持ち上げ資材挿入用孔部と免震装置とからなり、当該免震装置は２層に構成された基礎間に設けられた構造物の基礎構造である。地震などにより基礎が傾斜しても事前に用意した資材挿入用孔部にジャッキ等を挿入することで基礎面を水平に修復することができる。持ち上げることで生じた隙間を固化材で固定する。【選択図】図1
2013053451.tif 000002
【特許請求の範囲】
【請求項１】
構造物の基礎構造であって、当該基礎は上下２層に構成された基礎と当該基礎が傾斜した時、基礎面の傾斜を修復するため前記基礎下に設けられた持ち上げ資材挿入用孔部と免震装置とからなり、当該免震装置は２層に構成された基礎間に設けられた構造物の基礎構造。
【発明の詳細な説明】
【技術分野】
【０００１】
本発明は、戸建住宅、設備、装置等の軽量構造物に免震機能を付与した基礎構造技術に属する。
【背景技術】
【０００２】
戸建住宅用免震装置として適用される技術に滑り型免震装置、即ち、上部構造体側及び基礎等の下部構造体側それぞれに上下対向状態に設けられた摩擦体同士を互いに面接触させることで、地震の発生等に伴い、上下両構造体間に一定以上の水平方向への水平変位力が作用したとき、両摩擦体同士の水平方向への滑り作用のよって上部構造体への変位伝達を遮断若しくは抑制することで免震効果を得ている。（特開２００１−２２７１９７）またゴムと鉄板との積層体として形成されるゴム複合体がコンクリートビル等に使用されてきているが、戸建住宅等の軽量構造物に対しては、鋼板で挟んだ板状の粘弾性ダンパーを使用する方法（特開平０９−２７９６０８）があり、住宅荷重に対応したゴム複合体のせん断剛性とする必要がある。（特開２００１−１４０９７６）
【先行技術文献】
【特許文献】
【０００３】
【特許文献１】特開平０９−２７９６０８
【特許文献２】特開２００１−２２７１９７
【特許文献３】特開２００１−１４０９７６
【発明の概要】
【発明が解決しようとする課題】
【０００４】
本発明は、戸建住宅、設備、装置等の構造物に免震機能を与える基礎構造技術の提案にある。
【課題を解決するための手段】
【０００５】
本発明は、構造物の基礎構造であって、当該基礎は上下２層に構成された基礎と当該基礎が傾斜した時、基礎面の傾斜を修復するため前記基礎下に設けられた持ち上げ資材挿入用孔部と免震装置とからなり、当該免震装置は２層に構成された基礎間に設けられた構造物の基礎構造である。
【発明の効果】
【０００６】
本発明の基礎構造は、（１）基礎下に持ち上げ資材挿入用の孔部を設けているため基礎が地震等により傾斜しても、前記孔部にジャッキ等を挿入することで傾斜した基礎面を修復することができる。（２）基礎を上下２層としその間に免震装置を配設したため、基礎面の修復と共に免震装置が再生する。
【図面の簡単な説明】
【０００７】
【図１】基礎構造の断面を示す概念図である。
【図２】免震装置の例を示す概念図である。
【図３】基礎面の修復手順を示す概念図である。
【発明を実施するための形態】
【０００８】
以下本発明を図により詳細に説明する。
図1は、本発明の基礎構造の断面図である。本基礎構造は図に示すとおり、上基礎、下基礎２層に設けられた基礎、２層に設けられた基礎の間に配設された免震装置、基礎下に設けられた持ち上げ資材挿入用の孔部からなる。図１ａは布基礎、図１ｂはべた基礎の例である。
【０００９】
基礎は上下２層に構成され、その上下２層の間に図２に示すような免震装置が配設されている。図では、本免震装置は上基礎の下に示されている。
図では免震装置は、金属板あるいは樹脂板の間に配設された、水平動を減少させるための球体からなる水平移動吸収体とその下に配設された上下動を減少させる弾性体からなる。図２ａの弾性体はゴム弾性体であり、図２ｂの弾性体はゴムなどの弾性体のチップを容器に充填したものであり、弾性体チップを容器内に押し付けるよう芯が容器内に挿入されている。それぞれ布基礎及びべた基礎の例が示されている。
【００１０】
基礎下に設けられた押し上げ資材挿入用孔部は、地震などで基礎面が傾斜した場合、その孔部にジャッキ等基礎面を持ち上げるための押し上げ資材を挿入する場所を事前に用意したものである。資材挿入用孔部は基礎下に平行に複数設けておく、あるいは荷重の小さい住居、設備などではそれらの４隅など持ち上げるとき荷重が均等にかかるような場所に設けておく。基礎面の形状に合わせ均等に持ち上げられるよう適宜配置することができる。すなわち、資材挿入用孔部は基礎面が傾いた時、ジャッキあるいは空気によって膨らませることのできる袋体等を外部から挿入できるよう事前に用意したものである。
【００１１】
資材挿入用孔部は、２枚の壁を平行に並べる、断面Ｕ字状あるいは台形状で長手方向に延伸した資材を並べる、断面逆Ｔ字状資材をその盤体面を接するよう配設して基礎下に設けることができる。
【００１２】
図３は、基礎面の修復手順を示している。
（１）ジャッキを必要な箇所まで挿入する。
（２）基礎を水平になるまで持ち上げる。
（３）基礎が水平になった時、その水平を維持するため、基礎面下部に生じた隙間に、発泡樹脂あるいはレディミクストコンクリートなど固化物を注入し固定する。
（４）ジャッキ等を取り外す。
【産業上の利用可能性】
【００１３】
戸建住宅、設備、装置等の軽量構造物などの基礎構造として使用される。
【符号の説明】
【００１４】
１  ２層に構成された基礎
１１  上基礎
１２  下基礎
２  免震装置
２１  弾性体
２２  水平移動吸収体
２３  芯
２４  弾性体チップ
３  持ち上げ資材挿入用孔部
４  ジャッキ
５  固定する隙間
６  固化物
【図２】
2013053451.tif 000003
【図１】
2013053451.tif 000004
【図３】
2013053451.tif 000005
(57)【要約】      （修正有）【課題】巻尺の測定テープの多くは鋼製のため、高さを測ろうとすると自重で折れ曲がったり垂れ下がったりする。又、風圧を受けても同じことがおきる。緩和のためテープに穴を開け強度を下げずに軽量化した巻尺を提供する。【解決手段】テープに連続した台形の孔3を、残りの部分4が折り曲げに強い状態になるように配置し孔開けする。上下の帯と中間の帯に目盛５や数字を焼付塗装し、開けた孔は塞がない。テープに開ける孔は、三角形、半楕円形、円形等でもよい。【選択図】図２
2013053976.tif 000002
【特許請求の範囲】
【請求項１】
巻尺の測定テープに台形の連続した孔3を、残りの部分4が折れ曲がりに強い形になるように配置し孔開けし、軽量化することでテープの自重や風圧を緩和し、より高く測ることを可能にする巻尺。
【発明の詳細な説明】
【技術分野】
【０００１】
本発明は物の高さや幅を測る巻尺の,測定テープに孔を開けて軽量化する事により、より高く測ることを可能にする巻尺に関する。
【背景技術】
【０００２】
従来の巻尺には、穴を開け軽量化するものはあった。これは巻尺のケース内のバネの負担を軽くする為のものであった。測定テープに小さい径の孔を連続して開ける方式で、アルミ箔で塞ぎ、その上に目盛や数字を表記するものであった。このため外部で使うと風圧を諸に受けると言う欠点があった。
巻尺のテープ部分の鋼材に複数の小孔を開ける。その表裏にアルミ箔を貼り、目盛、数字をその表面に印刷する。最後にポリエチレンフィルムを被覆して完成させる。これは巻尺のケースに、重いテープを収めるには、長い渦巻きバネが必要となり大きな収容空間が求められる。その為テープに孔を開けて軽量化する。しかし孔は開けても上下に被せるものがあるため、高さを測る時には風圧を受けるので問題がある。
【先行技術文献】
【特許文献】
【０００３】
【特許文献１】実用新案登録  第3053081公報
【発明の概要】
【発明が解決しようとする課題】
【０００４】
これらの経緯を踏まえ、測定テープに連続した台形の孔3を開け焼付塗装で鋼材直に、目盛や数字を記すようにして表裏には何も貼らない。軽量化と共に風圧に対しても考慮する。
【課題を解決するための手段】
【０００５】
本発明は、測定テープに台形の孔3を、残された部分4が曲げに強い形状になるように配置して孔開けする。上下の帯と中間の帯に目盛5や数字を焼付塗装して、開けた孔は塞がない。テープに開ける孔は三角形、半楕円形、円形等が使われてもよく、折り曲げに強い形を形成することが大事になる。
【発明の効果】
【０００６】
測定テープに孔を開けることにより風圧力を緩和し、より高く測ることができる。また孔を連続して開けることでテープの重さが減って、巻尺の持ち運びに重宝する。
【図面の簡単な説明】
【０００７】
【図１】一般の巻尺の斜視図である。
【図２】本発明の測定テープ部分の平面図である。
【図３】従来の測定テープ部分の平面図である。
【図４】巻尺のテープの自重や風圧で、テープが折れ曲がる時の立面図。
【発明を実施するための形態】
【０００８】
測定テープの幅の5分の1の幅を上下にとり、残された5分の3の間に連続した台形の孔3を、残された部分4が上下の帯と緊密に結び合い、折れ曲がりに強い形となるように開ける。台形は三角形、半楕円形、円形でも良く、折れ曲がりに強い形をとる。上下の帯に目盛5を記し、中央の帯には数字を記す。測定テープの材質は鋼製で焼付塗装を施し、孔は透孔とする。
【符号の説明】
【０００９】
1    巻尺
2    測定テープ
3    孔開け部分
4    残り部分          
5    目盛、
【図１】
2013053976.tif 000003
【図２】
2013053976.tif 000004
【図３】
2013053976.tif 000005
【図４】
2013053976.tif 000006
【手続補正書】
【提出日】平成23年9月8日(2011.9.8)
【手続補正１】
【補正対象書類名】図面
【補正対象項目名】図２
【補正方法】変更
【補正の内容】
【図２】
2013053976.tif 000007
(57)【要約】      （修正有）【課題】日本の風力発電機は、風任せ、風向きの変わりやすい日本では敵地が少なく、採算ラインとされる風速6m以上の安定した風が得にくいので風力発電機の増設はあまり期待できません。【解決手段】本発明の風力発電機は風速が無風から風速5mぐらいまでの間で安定した、電気の発電できない状態のときにプロペラ４をコンピュターのプログラムによりモーター８の回転数を決めて回せば２４時間無風でも安定した電気が発電が出来ます。この風力発電機を６基を建設をして、1基目は無風から風速5mまでの間は4のプロペラを回すのは200Vの電気で回した場合500Kwが発電できれば、その500Kwの電気で残りの5基のプロペラ４を回す、１５個のモーター8の電源に当てれば５基分合計で2500Kwの電気が発電が出来ます、風速6m以上であれば6基の合計3000Kwの発電が可能になります。【選択図】図１
2013053581.tif 000002
【特許請求の範囲】
【請求項１】
資源エネルギー庁によると、全国では０８年度末で１５１７機の風力発電機が電気を発電をしていますが、発電は風任せで、風向きの変わりやすい日本では敵地が少なく、採算
ラインとされる風速６メートル以上の安定した風速が特に得にくい為、６割以上の風力発電機が採算割れもしくは、故障によりプロペラが回転のしていないのが現状であり、本風力発電機は風速が無風であっても発電できる無限風力発電機。
【請求項２】
この風力発電機は風力が２４時間無風でも発電機のプロペラが回転し続ける無限風力発電機。
【請求項３】
本発明の、風力発電機のプロペラのロータが3０mあれば図面1の4の所(20m)に軽飛行機用の2枚羽根を取り付けて、このプロペラをモーターで回転をさせる、どんなに無風であっても3個のプロペラで風速6mぐらいまで本機のプロペラを1分間に20回転させるようにすることを特徴とする無限風力発電機。
【発明の詳細な説明】
【技術分野】
【０００１】
本発明は、すべての風力発電機のプロペラをプロペラで回転をさせて発電をさせる装置である。
【背景技術】
【０００２】
従来の風力発電機は、プロペラ型風車、サボニウス型、セルウィング風車、ダリウス型風車，その他の風車がありますが、風が吹かなければ発電ができません。
【発明の概要】
【発明が解決しようとする課題】
【０００３】
現在、日本国土の風力発電を自然の風で回転をさせても発電効率は30%ぐらいです、家庭・工場・オーフィスに電気が必要な時間帯に風が吹いてくれなければ、電気を安定的に供給できません、その為に高価な蓄電池が必要になります。本発明は24時間無風でも完全に1分間にローターが20回転に設定すれば限りなく無限に発電することを目的としている。
【課題を解決するための手段】
【０００４】
図1に示した風力発電機の6は風速計で無風から風速6mまでは7のコンピュターのプログラムによって、8のモーターの回転数を計算をして3のローターを回転をさせて発電機本体に電気を発電させます、風速が6m以上になると8のモーターの電源を切ります、発電機のローターが1分間に20回転するように7のコンピュターが回転数をコントロールします。そして風速12m以上の強風になると4のモーターを逆回転をさせてブレキをかけてプロペラの回り過ぎないようにコントロールします。
【０００５】
図3はプロペラの断面図で、風速が無風から風速が6mまでは図面3のようにプロペラを回転をさせる、強風になると飛行機の車輪が翼に収納それるように、モーターとプロペラがローターに収納それるようにする。
【発明の効果】
【０００６】
本発明はプロペラに別のプロペラを配してあるため、電気の必要な時間帯に風が吹かなくても、常に24時間無風でも発電できる。
【図面の簡単な説明】
【０００７】
【図１】本発明の無限風力発電機の斜視図。
【図２】同、正面図。
【図３】同、使用状態を示す説明図。
【発明を実施するための形態】
【０００８】
以下、本発明の実施の形態を図に基づいて説明する。
【実施例１】
【０００９】
図1の全体図の中の6は風力計で現時点の風速を計り、7のコンピュターで風速のプログラムによって4のプロペラを羽根に取り付けられたモーターを回転させる。風速6mまで1分間に20回転をさせるようにコントロールをさせる。風速が6mを超えるとコンピュターが羽根に取り付けられたモーターの電源を切れば本体のプロペラが自然の風でブロペラを回します、すると4のプロペラが逆回転をして、このモーターにも発電が可能になる。
【００１０】
本発明の風力発電機の４のプロペを回転させる、電源は既存の電力会社の200Vの電源で回転をさせる、この風力発電機は最低６基以上を建設をする、1基は無風の場合は回転を電力会社の200Vの電源で4のプロペラを回転させて発電された電気で、後の5基の4のプロペラのモーター15個の電源をまかなう、24時間無風でも5基の風力発電機で発電される電気は無限に発電をされるし、蓄電池も要らない。
【産業上の利用可能性】
【００１１】
本発明は国内のみならず、環境がよくない国々でも使用に供することができる。
【符号の説明】
【００１２】
１  支柱
２  発電機
３  ローター
４  プロペラ
５  プロペラ本体
６  風速計
７  コンピュター
８  プロペラ４を回すモーター
【図１】
2013053581.tif 000003
【図２】
2013053581.tif 000004
【図３】
2013053581.tif 000005
(57)【要約】【課題】  物置屋根は手入れをしなければ錆びて耐用年数は約３０年である。  本発明は耐用年数を約５０年にのばす屋根カバーを提供する。【解決手段】  浅い箱型カバーの正面前部、背部軒の四隅に穴をあけた凸部を設け、飛散防止ベルト及び止め金具を設ける。【選択図】図１
2013053505.tif 000002
【特許請求の範囲】
【請求項１】
カバーの正面前部、背部の左右両端に穴をあけた凸部を設け、飛散防止ベルトを橋渡し、固定金具を設けた物置屋根カバー。
【発明の詳細な説明】
【技術分野】
【０００１】  本発明は物置の屋根にかぶせるカバーに関するものである。
【背景技術】
【０００２】  従来、物置の屋根は一重で錆びればペンキを塗り直すか、新しいものに買いかえていた。
【発明の概要】
【発明が解決しようとする課題】
【０００３】  物置は使いはじめて２０年位すると屋根に錆びが出はじめる。
ペンキを塗り直すか又はさびがひどくなれば屋根以外は傷んでいなくても買いかえをしていた。
本発明は以上の問題点を解決するためになされたものである。
【課題を解決するための手段】
【０００４】  従来の物置の屋根の上に、もう一枚付けはずしの可能なピッタリはまる浅い箱型のカバーをかぶせ二重屋根とし、正面と背部の物置本体よりつき出たカバーの軒部分の左右両端凸部にベルトを通す穴を設け、ベルトを左右に橋渡し金具で固定する。
以上の構成よりなる物置屋根カバー。
【発明の効果】
【０００５】  現在では物置屋根のペンキを塗り直すことも少なく、屋根のさびが進行すれば屋根以外は傷んでいなくても買いかえをしている。
その場合の耐用年数は約３０年であるが、屋根が錆びた時点でカバーをかぶせれば更に２０〜３０年使用できる。最初からカバーをつけていれば、カバーが傷んでからはずすことで計５０年の耐用年数になる。
【図面の簡単な説明】
【０００６】
【図１】  本発明の斜視図
【図２】  本発明の使用状態を示す斜視図
【発明を実施するための形態】
【０００７】  以下、本発明の実施の形態を説明する。
（イ）箱型カバー（１）の正面、背部の両端凸部（２）に穴（３）を設ける。
（ロ）カバー（１）の凸部（２）に通すベルト（４）を設ける。
（ハ）ベルト（４）を固定する金具（５）を設ける。
本発明は以上のような構造である。
本発明を使用するときは物置屋根（６）にカバー（１）をかぶせ飛散防止ベルト（４）を凸部（２）の穴（３）に橋渡し金具（５）で固定する。
【符合の説明】
【０００８】（１）カバー、（２）凸部、（３）穴、（４）ベルト、
（５）金具、  （６）屋根  （７）物置
【図１】
2013053505.tif 000003
【図２】
2013053505.tif 000004
(57)【要約】      （修正有）【課題】家庭内暴力や不法侵入者及び大地震から身を守る避難ボックスを提供する。【解決手段】三角形の角を弧状にした如く形状の天板１と底板２に出入り口３を適宜数有した側板４を、分解組立て自在にとりつけた避難ボックス。【選択図】図３
2013053504.tif 000002
【特許請求の範囲】
【請求項１】
図１、図２に示す如く三角形の角をそれぞれ弧状にした如く形状で、頑丈な天板１と同外形の底板２に出入り口３を適宜数有する側板４を、分解組立て自在にとりつけたことを特長とする避難ボックス。
【発明の詳細な説明】
【技術分野】
【０００１】  この発明は家庭内暴力とか、不法侵入の暴漢、あるいは大地震の際に転げ回る家具や建物の倒壊等々から、身を守るための避難ボックスに関するものである。
【背景技術】
【０００２】  従来我が国では、家庭においても、職場においても万一の際に身を守る手段が極めて貧弱であった。
例えば家庭内暴力の場合、被害者が加害者に力で対抗できないときその危険を避けるための安全な手段が一般にはなく、そのため被害を大きくする事が有った。又一般に家屋には硝子窓や硝子戸がよく用いられているが、これ等の内、格子戸、雨戸等による防犯の用心の無い場合は、屋内外を遮るものは硝子一枚のみで、侵入者にとってはいとも容易に侵入が出来る。このような侵入者から身を守る手段も確固たるものが無かった。更に地震国と言われる我が国では、大地震の度に多くの人が亡くなっていて、あの阪神大震災では犠牲者の８４％以上が屋内を転げ廻る家具や建物の倒壊等による圧死、圧迫死だった事は既に周知のこと、そして平成２３年３月の東日本大震災では、身体の自由を奪われて津波から逃げられず、水死したものと思われるケースが多かったとのこと。
以上の如く家庭内暴力等において、又屋外からの侵入者から、そして大地震からも危険が迫ったその時に、そのいずれからも身を守れるものが無かったため惨事となり、犠牲となってしまうことが多く問題とされていた。
【発明が解決しようとする課題】
【０００３】  昔から我が国では大地震の時には机の下にもぐって落下物や家具等から身を守るように言われて来た。そして現在も新聞、テレビ等において大地震からの避難方法の一つとして公言されている。しかし現実には強烈な大地震に耐える机など一般には無いに等しく、その証があの阪神大震災の犠牲者の８４％以上が圧死だったことで、机の下に隠れた人が随分居た筈なのに、机のお陰で助かったと言う話は聞かれない。よって、従来の机等はその目的からして、身を守るには殆ど期待できないと言える。そこで家庭内暴力からも、不法侵入者からも、そして大地震からも身を守れる如く手段が課題であった。
【課題を解決するための手段】
【０００４】  本発明は上記課題に応えんためのもので、その一実施例についてのべる。
図，１に示す如く三角形の角をそれぞれ弧状にした如く形状で頑丈な天板１と同形の底板２に適宜数の出入り口３を有する側板４を分解組立て自在にとりつけたもので、使用場所の形状とか広さ等、必要によって天板１と底板２の形状を円形とか楕円形又は多角形のものにして、それに応じた側板としても良い。
【発明の効果】
【０００５】  以下に本発明の効果について記すれば
イ・本発明は底板２を存する箱状とした事で歪みに強く従来の底板の無い机、テーブル等に比較して極めて頑丈。
ロ・本発明を鉄製とし、側板４に有する適宜数の出入り口３に扉５を設け、内側より施錠可能の如くすれば、家庭内暴力や万一の不法侵入者から身を守る事が出来る。世間では、一度人を殺してみたかった、誰でも良かった、などと気の狂った犯罪者も居た今節、家の中だから安全とは言えなく、二つとない命を大事に思えば安全、安心の避難ボックスと言える。
ハ・側板４に有する適宜数の出入り口３によって、大地震発生の瞬間に、どの方向からも素早く這入れる。又、適宜数設けたことで家具や建物の転倒、倒壊等により閉じ込められる事が少ない。
ニ・家に子供のみ在宅の際に大地震発生の場合、子供は恐怖に慄き、避難方法が分からない事が考えられる。従来このような場合、親としても的確な指図の仕様がなかったが、本発明によれば日頃から子供たちに地震のときは速やかに本発明内に避難するように教え、訓練しておけば、子供たちも安心無事で、外出中の親も安心。
ホ・本発明は分解組立てがドライバー１本で簡単に出来、分解により老人、女性の一人住まいの場合には持運びが楽、階上、階下への移動や狭い玄関、通路等の移動にも便利。
ヘ・本発明は鉄を素材に最大巾７３ｃｍ、高さ７５ｃｍの大きさに試作し、公的試験施設の愛知県産業技術研究所にて強度試験を受けた結果１８トンの荷重に耐える強度が認められ、証明書が得られた。
【図面の簡単な説明】
【０００６】
【図１】天板１の平面図
【図２】底板２の平面図
【図３】本発明の前面斜視図
【図４】本発明の背面斜視図
【符号の説明】
【０００７】１、天板    ２、底板    ３、出入り口    ４、側板    ５、ドア
【図１】
2013053504.tif 000003
【図２】
2013053504.tif 000004
【図３】
2013053504.tif 000005
【図４】
2013053504.tif 000006
(57)【要約】【課題】本発明は農業分野に於いて、食料不足と言う人類の課題を解決する目的を達成するために成されたもので、植物の成長を促進し、収穫の増大をもたらす肥料を提供する。【解決手段】昆虫の蝉の脱け殻を細末とし、他の媒体に混合して肥料とし、又は溶媒等で抽出した成分を水や液体肥料に混合して肥料とすることを特徴とする。【特許請求の範囲】
【請求項１】
昆虫の蝉の脱け殻を細末とし、他の媒体に混合して肥料とする。
【請求項２】
昆虫の蝉の脱け殻を細末とし、溶媒等で抽出した成分を水や液体肥料に混合して肥料とする。
【発明の詳細な説明】
【技術分野】
【０００１】本発明は、農業分野に於いて植物の成長を促進し、収穫の増大をもたらす、昆虫の蝉の脱け殻を加工した肥料に関するものである。
【背景技術】
【０００２】従来農業分野にあって、品種改良や遺伝子組み替えにより、わづかに成長の促進や収穫の増大を期すものはあるが、肥料により、大きく成長を促進し、顕著な収穫の増大を、もたらすものは無かった。
【発明の開示】
【発明が解決しようとする課題】
【０００３】従来農業分野に於いて食料の不足は人類の大きな課題であり、本発明の目的はこの大問題を解決することにある。
【課題を解決するための手段】
【０００４】昆虫の蝉の脱け殻を細末とし、他の媒体に混合して肥料とする。又は、溶媒等で抽出した成分を水や液体肥料に混合して肥料とする。
【発明の効果】
【０００５】本発明を使用すると、植物の根が顕著に増加し、その結果植物の成長速度が早くなり、収穫物は増大する。
【発明を実施するための最良の形態】
【０００６】以下本発明の実施の形態を説明する。
（イ）本発明は昆虫の蝉の生態研究により、作り出されたものである。
〔ロ〕蝉の幼虫と寄生される樹木の間には共生関係が存在し、幼虫の外皮には樹木の根を増殖させる作用がある。
〔ハ〕以上の考えにより、昆虫の蝉の脱け殻を細末とし、他の媒体に混合して肥料とする。
〔ニ〕その他、昆虫の蝉の脱け殻を細末とし、溶媒等で抽出した成分を水や液体肥料に混合して肥料とする。
〔ホ〕本発明は以上の構成からなる肥料であるが、その使用方法の一例を次に示す。
〔ヘ〕同質のプランターを２個用意し、これを（Ａ），（Ｂ）とする。両方に、それぞれ同質の培養土を適量づつ投入し、その後（Ｂ）には、本発明による肥料を適量追加混合する。
〔ト〕その後（Ａ）及び（Ｂ）に二十日大根の種子を同量づつ蒔き、同じ環境下で２週間を経過したとき、その発育状態は、（Ｂ）は（Ａ）に比べて体長で約２倍長く、根でも２倍以上の発育を示した。
(57)【要約】      （修正有）【課題】車のゆれで転倒したり、足元でじゃまになり易かった車用のゴミ箱を見た目も美し機能的に使用できるようにする。【解決手段】車のシフトレバー（又はその付近）に引っ掛ける形の専用ゴミ箱を設置する。又、車のシフトレバーに安全な形で装着できる専用ゴミ箱（袋）を設置する。【選択図】図１
2013053001.tif 000002
【特許請求の範囲】
【請求項１】
請求項１：車内シフトレバーに掛けて取り付ける専用のゴミ箱である事。
【請求項２】
その他の工夫事項
請求項▲１▼：買い物用ビニール袋を使用する場合、ビニール袋の取っ手部分を引っ掛け              る場所があるデザインのものも含む。
請求項▲２▼：中にビニール袋を取り付けてそのままゴミ袋として捨てられるデザインの              ものも含む。
請求項▲３▼：プラスッチック等硬い素材を使用する場合、シフトレバーからの長さや角              度の調整が出来る等の工夫があるものも含む。
請求項▲４▼：蓋の取り付けや巾着状に絞れるデザインのものも含む。
【発明の詳細な説明】
【技術分野】
【０００１】  本発明は車内に設置するゴミ箱に関するものである。
【背景技術】
【０００２】  一般的には、家庭内で使うゴミ箱のミニサイズのものが主に車用ゴミ箱として使用されている。また、シフトレバーに買い物用ビニール袋を掛けて使用している人もいる。
【先行技術文献】
【特許文献】
【０００３】
【特許文献１】
【特許文献２】
【非特許文献】
【０００４】
【非特許文献１】
【非特許文献２】
【発明の概要】
【発明が解決しようとする課題】［一般的な形のゴミ箱では、
・  車内のゆれで転倒してしまう。
・  助手席の足元に置いてしまうと助手席同乗者の足元でじゃまになる。
・  後部座席に置くと、ゴミ箱を最もよく使う運転者から見えにくく、手も届きにくにため運転中使用するには危険である。
・  買い物用ビニール袋を引っ掛けていたのでは見た目もワルく車内の美観を害する。また‘なまけ者’のように見られてしまいそうで人目がわるい。
といった問題点があった。］
【課題を解決するための手段】［本発明は、
・  車のゆれでゴミ箱がひっくり返ってしまう心配がない。
・  運転手が使いやすい場所にゴミ箱を設置する事が出来る。
・  助手席に座る同乗者にも邪魔にならない。
・  見た目もスッキリと美しく車内の美観を害さない。
という点から、車内ゴミ箱の使い易さと安全性、見た目の美しさの向上を目的とする。］
【発明の効果】［車の運転中でも安全かつ容易にゴミを捨てる事が出来る。］
［運転中の車内のゆれでゴミ箱が横転してしまう心配がない。］
［運転者や同乗者の邪魔にならない。］
［見た目が美しく使用に関して恥ずかしさがない。］
【図面の簡単な説明】
【図１】［車内シフトレバーに本発明を取り付けている図である］
【発明を実施するための形態】
【・・・・】
【実施例】
【・・・・】
【産業上の利用可能性】
【・・・・】
【符号の説明】
【・・・・】
【受託番号】
【・・・・】
【図１】
2013053001.tif 000003
【図２】
2013053001.tif 000004
【手続補正書】
【提出日】平成23年11月7日(2011.11.7)
【手続補正２】
【補正対象書類名】明細書
【補正対象項目名】全文
【補正方法】変更
【補正の内容】
【発明の詳細な説明】
【技術分野】
【０００１】  本発明は車内に設置するゴミ箱に関するものである。
【背景技術】
【０００２】    一般的には、家庭内で使うゴミ箱のミニサイズのものが主に車用ゴミ箱として使用されている。また、シフトレバーに買い物用ビニール袋を掛けて使用している人もいる。
【発明の概要】
【発明が解決しようとする課題】
【０００３】［一般的な形のゴミ箱では、
・車内のゆれで転倒してしまう。
・助手席の足元に置いてしまうと助手席同乗者の足元でじゃまになる。
・後部座席に置くと、ゴミ箱を最もよく使う運転者から見えにくく、手も届きにくにため運転中使用するには危険である。
・買い物用ビニール袋を引っ掛けていたのでは見た目もワルく車内の美観を害する。また‘なまけ者’のように見られてしまいそうで人目がわるい。
といった問題点があった。］
【課題を解決するための手段】
【０００４】［本発明は、
・車のゆれでゴミ箱がひっくり返ってしまう心配がない。
・運転手が使いやすい場所にゴミ箱を設置する事が出来る。
・助手席に座る同乗者にも邪魔にならない。
・見た目もスッキリと美しく車内の美観を害さない。
という点から、車内ゴミ箱の使い易さと安全性、見た目の美しさの向上を目的とする。］
【発明の効果】
【０００５】［車の運転中でも安全かつ容易にゴミを捨てる事が出来る。］
［運転中の車内のゆれでゴミ箱が横転してしまう心配がない。］
［運転者や同乗者の邪魔にならない。］
［見た目が美しく使用に関して恥ずかしさがない。］
【図面の簡単な説明】
【０００６】
【図１】［車内シフトレバーに本発明を取り付けている図である］
【図２】［その他、本発明を応用した発明の例］
(57)【要約】【課題】厚紙やマット紙、石膏ボードや薄ベニヤ、建築模型やポップに使用するスチレンボードなどの厚みのある材料の切断面を正確に４５度に切断加工出来る工具、４５度切断用カッターを提供する。【解決手段】カッターナイフの刃が切断材料に対して、４５度を保つ性能を有する冶具とカッターナイフ本体が一体構造の手工具で、それを用いれば、４５度の切断面で材料を加工出来る。【選択図】図１
2013094631.tif 000002
【特許請求の範囲】
【請求項１】
カッターナイフ本体と４５度切断用冶具が一体の構造で、刃のせり出し収納の操作に支障の無いようにカッターナイフ本体の裏側に冶具が位置している。
【請求項２】
４５度切断用冶具部分は、切断される材料と接する部分に平滑な擦動面を有する台座状の構造
【発明の詳細な説明】
【技術分野】
【０００１】厚紙や石膏ボード、スチレンボード等厚みのある材料を切断面の角度４５度に切断する手工具。
【背景技術】
【０００２】カッターナイフと４５度切断用冶具が一体の構造を備えた手工具は無かった。
【発明の概要】
【発明が解決しようとする課題】
【０００３】厚みのある材料の切断面を正確に４５度に加工する事は難しく熟練を必要とする。
突合せや出隈、入隈の合わせ目部分の工作には高い精度が求められ、仕上がりに大きく影響した。その課題を解消する手工具として本発明はなされたものである。
【課題を解決するための手段】
【０００４】  カッターナイフと正確に４５度の角度を保持する冶具が一体の手工具となって、作業出来る様にした。【０００５】カッターナイフ裏面に冶具が位置しているので、カッターナイフの刃の出し入れと作業中の刃先への視認性を妨げることの無いようにした。
【発明の効果】
【０００６】４５度の角度で正確な角度で材料を切断できる。【０００７】手工具として刃先に意識を払う事ができるので、定規に添わせて直線、フリーの曲線も正確な断面の角度を得ながら切断加工が出来る。
【図面の簡単な説明】
【０００８】
【図１】４５度切断用カッター
【図２】４５度切断用カッターの６面図
【図３】切断作業の図
【符号の説明】１    カッターナイフ本体
２    台座部
３    平滑擦動面
【図１】
2013094631.tif 000003
【図２】
2013094631.tif 000004
【図３】
2013094631.tif 000005
(57)【要約】【課題】厚紙やマット紙、石膏ボードや薄ベニヤ、建築模型やポップに使用するスチレンボードなどの厚みのある材料の切断面を正確に９０度と４５度に切断加工出来る工具  角度切断用カッターを提供する。【解決手段】カッターナイフの刃が切断材料に対して、９０度と４５度を保つ性能を有する冶具とカッターナイフ本体を取付け固定、取外し交換して用いれば、９０度や４５度の切断面で材料を加工出来る。【選択図】図１
2013094632.tif 000002
【特許請求の範囲】
【請求項１】
カッターナイフ本体に９０度切断用冶具と４５度切断用冶具が取付け固定、取外し交換が出来る。
【請求項２】
カッターナイフ本体と９０度切断用冶具、４５度切断用冶具の接触部は、冶具を固定状態でガタツキのないように溝や凹凸部を有し、密着を高めてボルトネジ、ナットを締める事によって緊結出来る
【請求項３】
９０度切断用冶具は、切断される材料と接する部分にローラーを有するアーム状の構造
【請求項４】
４５度切断用冶具は、切断される材料と接する部分に平滑な擦動面を有する台座状の構造
【発明の詳細な説明】
【技術分野】
【０００１】厚紙や石膏ボード、スチレンボード等厚みのある材料を切断面の角度９０度、４５度に切断する手工具で、９０度切断用冶具と４５度切断用冶具を取付け出来る機能を備えたもの。
【背景技術】
【０００２】カッターナイフに９０度切断用冶具や４５度切断用冶具を取付け出来る機能を備えた手工具は無かった。
【特許文献１】
【０００３】
【発明の概要】
【発明が解決しようとする課題】
【０００４】厚みのある材料の切断面を正確に９０度や４５度に加工する事は難しく熟練を必要とする。突合せや出隈、入隈の合わせ目部分の工作には高い精度が求められ、仕上がりに大きく影響した。作業に合わせて冶具を使い分けて施工現場で手工具として扱えるものが無くその課題を解消するために本発明はなされたものである。
【課題を解決するための手段】
【０００５】カッターナイフに正確な角度を保持する冶具を取付けて作業出来る様にした。【０００６】カッターナイフ裏面に冶具を装着することによって、カッターナイフの刃の出し入れと作業中の刃先への視認性を妨げることの無いようにした。
【発明の効果】
【０００７】９０度切断冶具と４５度切断冶具を使い分けることにより正確な角度で材料を切断できる。【０００８】手工具として刃先に意識を払う事ができるので、定規に添わせて直線、フリーの曲線も正確な断面の角度を得ながら切断加工が出来る。
【図面の簡単な説明】
【０００９】
【図１】角度切断用カッターの概要図
【図２】カッター本体４面図及び裏側の装着用凸部
【図３】９０度切断用用冶具と４５度切断用冶具の取付図
【図４】９０度切断用冶具の６面図
【図５】４５度切断用冶具の６面図
【図６】９０度切断用冶具とカッターナイフ本体の装着状態の６面図
【図７】４５度切断用冶具とカッターナイフ本体の装着状態の６面図
【図８】直線切断作業（定規に添わせた状態、切断面９０度と４５度）の図
【図９】曲線切断作業（フリーの曲線を切断、切断面９０度と４５度）の図
【符号の説明】１    カッターナイフ本体
２    カッター裏側装着用凸部
３    ９０度切断用冶具
４    ４５度切断用冶具
５    ローラー
６    ローラー軸
７    装着用ビス
８    装着用ナット
９    カッター本体あわせ溝
１０  冶具側カッター装着用凹部
１１  平滑擦動面
【図１】
2013094632.tif 000003
【図２】
2013094632.tif 000004
【図３】
2013094632.tif 000005
【図４】
2013094632.tif 000006
【図５】
2013094632.tif 000007
【図６】
2013094632.tif 000008
【図７】
2013094632.tif 000009
【図８】
2013094632.tif 000010
【図９】
2013094632.tif 000011
(57)【要約】【課題】  本発明は、シート板に凹凸の突起物を設け、シート板に台形の土台を設けて下部に吸盤を設けて、浴槽内の底面、または壁面に水平、または斜めに吸着固定させて、浴槽内に座って入浴時足を乗せて足裏をマッサージ、指圧できるように工夫した浴槽内で使用する足裏マッサージ器を提供する。【解決手段】  シート板（１）に凹凸部の突起物（４）を設け、シート板（１）に台形の土台（２）を設け、下部に吸盤（３）を設け、浴槽（５）内の底面や壁面に吸着させて固定し、座って入浴中に足裏をマッサージできるように工夫した浴槽（５）内で使用できる足裏マッサージ器。【選択図】図１
2013094638.tif 000002
【特許請求の範囲】
【請求項１】
シート板（１）に凹凸の突起物（４）を設け、シート板（１）に台形の土台（２）を設け、下部に吸盤（３）を設け、浴槽（５）内の底面や壁面に吸着させて固定し、座って入浴中に足裏をマッサージできるように工夫した浴槽（５）内で使用できる足裏マッサージ器。
【発明の詳細な説明】
【技術分野】
【０００１】  本発明は、シート板に凹凸部の突起物を設け、シート板に台形の土台を設けて下部に吸盤を設けて、浴槽内の底面、または壁面に水平、または斜めに吸着固定させて、浴槽内に座って入浴時足を乗せて足裏をマッサージ、指圧できるように工夫した浴槽内で使用する足裏マッサージ器に関するものである。
【背景技術】
【０００２】  従来、足裏をマッサージするには、風呂上りに青竹踏みや平らなところでシート等の表面に凹凸部のついたマッサージシート等に乗ったりして使用するものがあった。
【先行技術文献】
【特許文献】
【０００３】
【特許文献１】  特開２００４−４３６７２０号公報
【特許文献２】  特開２００１−７９０５７号公報
【特許文献３】  実開平５−１８５３３号公報
【発明の概要】
【発明が解決しようとする課題】
【０００４】  そのため、次のような問題点があった。
風呂上りに使用するとマッサージ効果により大量の汗をかいたり、凹凸の突起物の上に乗るため足裏が痛くなることがあった。
本発明は以上の問題点を解決するためになされたものである。
【課題を解決するための手段】
【０００５】  シート板（１）に凹凸の突起物（４）を設け、シート板（１）に台形の土台（２）を設け、下部に吸盤（３）を設け、浴槽（５）内の底面や壁面に吸着させて固定し、座って入浴中に足裏のマッサージができる。
以上を特徴とする足裏マッサージ器である。
【発明の効果】
【０００６】  本発明はシート板（１）に凹凸の突起物（４）を設け、シート板（１）に台形の土台（２）を設け、下部に吸盤（３）を設けることによって、浴槽の底面、または壁面に水平、または斜めに設置して固定できるため、入浴中に座って足裏のマッサージができる。
【図面の簡単な説明】
【０００７】
【図１】  本発明の斜視図である。
【図２】  本発明の使用状態を示した説明図である。
【発明を実施するための形態】
【０００８】  以下、本発明の実施の形態について説明する。
シート板（１）に凹凸の突起物（４）を設ける。
シート板（１）に台形の土台（２）を設け、下部に吸盤（３）を設ける。
以上のように構成された足裏マッサージ器である。
次に本発明の使い方について説明する。
浴槽（５）の底面、または壁面に水平、または斜めに吸着固定して入浴時座して足裏マッサージをする。
【符号の説明】
【０００９】  １  シート板
２  台形の土台
３  吸盤
４  凹凸の突起物
５  浴槽
【図１】
2013094638.tif 000003
【図２】
2013094638.tif 000004
(57)【要約】      （修正有）【課題】ボールを打撃するさいに、的確な位置にヘッドを合わせるに役立つことと、打撃の間合いを安定させること、第三者によるスイングの確認等に役立つゴルフクラブとし、より楽しく夜間等のゴルフ練習ができるようなゴルフクラブを提供する。【解決手段】シャフト上方部から始とする、ＬＥＤライト装置等による電光部２を、シャフト下方まで等間隔に連続して設け、その先のヘッド部中央にも同様の電光部３を設け、且つこれらを点滅させるためのスイッチ１等の装置をグリップ側に設ける。【選択図】図１
2013094640.tif 000002
【特許請求の範囲】
【請求項１】
図１に示すよう、シャフト上部からヘッド部中央まで、複数設けた電光部を光らせることのできる装置を備えたゴルフクラブ。
【発明の詳細な説明】
【技術分野】
【０００１】  本発明は、ゴルフクラブに関するものである。
【発明の概要】
【発明が解決しようとする課題】
【０００２】１．ゴルフの練習をするさいボールを的確な位置で打撃できるようすること。
２．打撃するまでの間合いを身に付けるに役立つようにすること。
３．第三者によるスイングのチェックに役立つようにすること。
４．夜間の練習をより楽しくさせるゴルフクラブとする。
【問題を解決するための手段】
【０００３】  図１に示すと、シャフト上方部から始とする、ＬＥＤライト装置等による電光部（２）を、シャフト下方まで等間隔に連続して設け、その先のヘッド部中央にも同様の電光部（３）を設け、且つこれらを点滅させるためのスイッチ（１）等の装置をグリップ側に設けることとする。
【発明の効果】
【０００４】１．ゴルフボールを打撃しようとするさい、ヘッド部に設けた電光部を（３）を点灯させ  ることによって、その目印となる電光部（３）をゴルフボールの中心に的確に合わせる  に役立つ。
２．ヘッド部をボールに合わせてから、更にスイッチ（１）を押すことによって、シャフ  ト上に並ぶ電光部（２）の最上部から順に、ヘッド部の電光部（３）までを連動して点  滅させることによって、その電光を目視する間合いを以てボールを打撃するなら、常時  一定した間合いをもって打撃練習をするに役立つ。
３．夜間に電光部をすべて点灯することによって、スイングのチェックを第三者に行って  もらうに役立つ。
４．電光部による電飾的効果は、まわりの風景が乏しくなる夜間のゴルフ練習において、  気持ちを楽しく高揚させるにも役立つ。
【図面の簡単な説明】
【０００５】
【図１】  本発明を示すゴルフクラブの斜視図
【符号の説明】
【０００６】  １．スイッチ
２．シャフト上に並ぶ電光部
３．ヘッド上に設けた電光部
【図１】
2013094640.tif 000003
(57)【要約】【課題】  本発明は、上部にハンガーのかける部分が入るような型に加工した合成樹脂製のシートを２枚重ねにして、回りを接着して一部に開閉するためのスライダーの付いたジッパーを設け、完全密封型の洋服カバーで厚手のダウンジャケット等をハンガーにかけたまま収納し、ジッパーの一部から空気を抜き、圧縮することができるように工夫した圧縮袋兼用の洋服カバーを提供する。【解決手段】  上部にハンガー（６）のかける部分が収納できる型（４）に加工した合成樹脂製のシート（１）を２枚重ねにして、回りを接着（５）して一部にジッパー（２）を設けて開閉のためのスライダー（３）を設けた洋服カバーに、厚手のダウンジャケット（７）等をハンガー（６）にかけたまま収納してジッパー（２）の一部から空気を抜き圧縮することを特徴とする圧縮袋兼用の洋服カバー。【選択図】図１
2013094637.tif 000002
【特許請求の範囲】
【請求項１】
上部にハンガー（６）のかける部分が収納できる型（４）に加工した合成樹脂製のシートの（１）を２枚重ねにして、回りを接着（５）して一部にジッパー（２）を設けて開閉にスライダー（３）を設けた洋服カバーに厚手のダウンジャケット（７）等をハンガー（６）にかけたまま収納してジッパー（２）の一部から空気を抜き圧縮することを特徴とする圧縮袋兼用の洋服カバー。
【発明の詳細な説明】
【技術分野】
【０００１】  本発明は、上部にハンガーのかける部分が入るような型に加工した合成樹脂製のシートを２枚重ねにして、回りを接着して一部に開閉するためのスライダーの付いたジッパーを設け、完全密封型の洋服カバーで厚手のダウンジャケット等をハンガーにかけたまま収納し、ジッパーの一部から空気を抜き、圧縮することができるように工夫した圧縮袋兼用の洋服カバーに関するものである。
【背景技術】
【０００２】  従来、シーズンオフには、厚手のダウンジャケット等は洋服のみを圧縮袋に入れたり丸めて小さくして箱に詰めたりして整理をしていた。
【先行技術文献】
【特許文献】
【０００３】
【特許文献１】  特開２０００−３００４１６号公報
【特許文献２】  実登第３０３５１１０号公報
【特許文献３】  実登第３１５０６４９号公報
【発明の概要】
【発明が解決しようとする課題】
【０００４】  そのため、次のような問題点があった。
クローゼットの中ではスペースをとったり、整理するのが面倒であった。
本発明は以上の問題点を解決するためになされたものである。
【課題を解決するための手段】
【０００５】  上部にハンガー（６）をかける部分が入るような型（４）に加工した合成樹脂製のシート（１）を２枚重ねにして、回りを接着（５）して一部にジッパー（２）を設けて、完全密封できるようにして、開閉するためのスライダー（３）を設ける。
以上を特徴とする圧縮袋兼用の洋服カバー。
【発明の効果】
【０００６】  本発明は厚手のダウンジャケット等をハンガーにかけたまま洋服カバーの中に収納でき、空気を抜いて圧縮するため、クローゼット等のスペースを取らずそのままかけて置くことができて、整理することが簡単である。
【図面の簡単な説明】
【０００７】
【図１】  本発明の斜視図である。
【図２】  本発明の使用状態を示した説明図である。
【発明を実施するための形態】
【０００８】  以下、夲発明の実施の形態について説明する。
合成樹脂製のシート（１）を２枚重ねハンガーのかける部分が入るように回りを接着（５）して、一部にジッパー（２）を設けて、開閉するためのスライダー（３）を設ける。
本発明は以上の構成である。
次に本発明の使い方について説明する。
スライダー（３）を上下してジッパー（２）を開閉して厚手のダウンジャケット等（７）をハンガー（６）にかけたまま洋服カバーの中に収納し、ジッパー（２）の一部から空気を吸い出し圧縮して整理することができる。
【符号の説明】
【０００９】１  ２枚重ね合成樹脂製シート
２  ジッパー部
３  スライダー部
４  ハンガーのかける部分を収納する部位
５  接着部
６  ハンガー
７  厚手のダウンジャケット等
【図１】
2013094637.tif 000003
【図２】
2013094637.tif 000004